(57)【要約】【課題】小さな力でも十分なマッサージ効果が得られると共に、衛生的なボディタオルを提供する。【解決手段】タオル本体１のタオル中央領域Ｅに、マッサージ用ボール材８を収容した複数の収容室15を、縫製にて形成した。各収容室15内のボール材８は、３種のセラミックボール３、及び、檜木ボール５から構成される。【選択図】図１
2020130997.tif 000002
【特許請求の範囲】
【請求項１】
タオル本体（１）の長手方向の中央領域（Ｅ）に、マッサージ用ボール材（８）を収容した複数の収容室（15）を、縫製にて形成したことを特徴とするボディタオル。
【請求項２】
タオル本体（１）を長手方向の２本の折り目線（26）（26）にて折畳んで３つ折り形状（30）とすると共に、幅方向の複数本の縫製線（29）によって、タオル本体（１）の長手方向の中央領域（Ｅ）に複数の収容室（15）を列設し、該収容室（15）にはマッサージ用ボール材（８）が収容されていることを特徴とするボディタオル。
【請求項３】
複数の上記収容室（15）の内の一個乃至複数個には、上記ボール材（８）として檜木ボール（５）が収容されている請求項１又は２記載のボディタオル。
【請求項４】
複数の上記収容室（15）の内の一個乃至複数個には、活性石セラミックボールと銀イオンセラミックボールとＥＭセラミックボールとラドンセラミックボールとゲルマニウムセラミックボールの内から選択された３種類以上のセラミックボール（３）が、上記ボール材（８）として、収容されている請求項１，２又は３記載のボディタオル。
【請求項５】
複数の上記収容室（15）の内の一個乃至複数個には、上記ボール材（８）として、高反発弾性ゴムボール（２）が収容されている請求項１，２，３又は４記載のボディタオル。
【発明の詳細な説明】
【技術分野】
【０００１】
本発明は、ボディタオルに関する。
【背景技術】
【０００２】
従来、ボディタオルのタオル中央領域を幅広に形成して、タオル中央領域に結び目によるコブを形成できるようにしたものが公知である（例えば、特許文献１参照）。そして、結び目で形成したコブを利用して背中を洗うと共にマッサージ感を得ていた。
【先行技術文献】
【特許文献】
【０００３】
【特許文献１】登録実用新案第３１３３４１１号公報
【発明の概要】
【発明が解決しようとする課題】
【０００４】
しかし、タオル中央領域に結び目によるコブを形成したボディタオルは、結び目が柔らか過ぎるため、強い力で押し付けないと、十分なマッサージ効果を得ることができないという問題があった。
また、使用後に、結び目によるコブの水切りや泡切りを入念に行わないと雑菌が直ぐに繁殖して不衛生といった問題があった。
【０００５】
そこで、本発明は、小さな力でも十分なマッサージ効果が得られると共に、衛生的なボディタオルの提供を目的とする。さらに、ストレッチ用としても活用できるタオルの提供を、他の目的とする。
【課題を解決するための手段】
【０００６】
本発明のボディタオルは、タオル本体の長手方向の中央領域に、マッサージ用ボール材を収容した複数の収容室を、縫製にて形成したものである。
また、タオル本体を長手方向の２本の折り目線にて折畳んで３つ折り形状とすると共に、幅方向の複数本の縫製線によって、タオル本体の長手方向の中央領域に複数の収容室を列設し、該収容室にはマッサージ用ボール材が収容されている。
また、複数の上記収容室の内の一個乃至複数個には、上記ボール材として檜木ボールが収容されている。
また、複数の上記収容室の内の一個乃至複数個には、活性石セラミックボールと銀イオンセラミックボールとＥＭセラミックボールとラドンセラミックボールとゲルマニウムセラミックボールの内から選択された３種類以上のセラミックボールが、上記ボール材として、収容されている。
また、複数の上記収容室の内の一個乃至複数個には、上記ボール材として、高反発弾性ゴムボールが収容されている。
【発明の効果】
【０００７】
本発明によれば、タオル本体を強い力で、身体に押し付けなくとも、小さな力で十分に身体のコリを心地良くほぐすことができ、十分なマッサージ効果を得ることができる。湯（水）切れや泡切れが良く使用後の清潔さを保つことができ衛生的である。また、天然檜木によるリラックス効果，精神安定効果，安眠効果等も得ることができる。
【図面の簡単な説明】
【０００８】
【図１】本発明の実施の一形態を示す要部斜視図である。
【図２】実施の一形態を示す要部縦断面図である。
【図３】ボール収納袋の一例を示す平面図である。
【図４】他の実施形態を示す要部縦断面図である。
【図５】別の実施形態を示す要部縦断面図である。
【図６】製造工程の一例を示す平面図である。
【図７】さらに別の実施形態を示し、タオル本体の３つ折り形状を説明する簡略図であって、（Ａ）（Ｂ）（Ｃ）は平面簡略図、（Ａ′）（Ｂ′）（Ｃ′）は横断面簡略図である。
【図８】マッサージ用ボール材を収容した状態を説明した図であって、（Ａ）は要部平面図、（Ｂ）は（Ａ）のｂ−ｂ−断面図である。
【発明を実施するための形態】
【０００９】
以下、図示の実施形態に基づき本発明を詳説する。
本発明に係るボディタオルは、主として、身体を洗うための浴用であって、図１と図２に示すように、ナイロンやポリエステル等の合成樹脂繊維製、又は、コットンやシルク製の帯状のタオル本体１を備えている。なお、ストレッチ用タオルとしても利用できるものである。
【００１０】
タオル本体１の長手方向の中央領域Ｅに、マッサージ用ボール材８を収容した複数の収容室15が、縫製にて区分けされて形成されている。収容室15を（例えば）６つ設けている。
なお、図１と図２と図４と図５と図６及び図８に於て、収容室15を形成するための縫着部（縫製部）19を、一点鎖線で図示している。
【００１１】
図１と図２に示すように、各収容室15には、複数（個）のボール材８を収容している。
各収容室15内の複数のボール材８は、高反発弾性ゴムボール２と、３種類以上のセラミックボール３を、少なくとも有する。
【００１２】
３種類のセラミックボール３とは、活性石セラミックボールと銀イオンセラミックボールとＥＭセラミックボールとラドンセラミックボールとゲルマニウムセラミックボールの内から選択された３種類のセラミックボール３である。また、種類毎のセラミックボール３の数は自由である。
【００１３】
例えば、収容室15に、高反発弾性ゴムボール２を１つ、選択されたセラミックボール３を５つ、合計６つのボール材８を収容する。
例えば、５つのセラミックボール３は、１つの活性石セラミックボール、１つの銀イオンセラミックボール、３つのＥＭセラミックボールである。
或いは、５つのセラミックボール３は、１つの活性石セラミックボール、１つの銀イオンセラミックボール、１つのＥＭセラミックボール、１つのラドンセラミックボール、１つのゲルマニウムセラミックボールとするも良い。
【００１４】
各収容室15は、（糸によって縫製された）縫着部19によって包囲され、内部に収容された複数のボール材８が、隣り合う別の収容室15へ移動（相互移動）しないように構成している。従って、中央領域Ｅにおいて、高反発弾性ゴムボール２及びセラミックボール３が所定位置に配設される。言い換えると、中央領域Ｅにおいて、高反発弾性ゴムボール２及び複数種類のセラミックボール３、が略均一に配設される。タオル本体１の全体の長さ寸法をＬ１とすれば、前記中央領域Ｅの長さ寸法Ｌｅは、０．１・Ｌ１＜Ｌｅ＜０．３・Ｌ１とするのが望ましい。
【００１５】
また、収容室15の数は、２部屋以上１０部屋以下、より好ましくは、４部屋以上８部屋以下とするのが望ましい。下限値未満であると、マッサージ効果が弱くなる虞れがあり、上限値を越えると、身体を洗う際に使い勝手が悪くなる虞れがある。
【００１６】
高反発弾性ゴムボール２は、ブタジエン製（ポリブタジエンにケイ酸などの添加物を加えた素材製）の高弾性のゴムボールであり、弾力が非常に大きいものである。例えば、反発係数が約０．８〜０．９程度のものである。より具体的には、商品名「スーパーボール」（登録商標）で市販されているものや「ビックリボール」や「bouncy ball」 と呼ばれるものである。但し、身体に全く無害な材質を選定する。
なお、高反発弾性ゴムボール２（以下、ゴムボール２と呼ぶ場合もある）は、外周面に小凸部や小凹部を有するものであっても良い。
【００１７】
高反発弾性ゴムボール２により、小さな力でも身体のコリを心地良くほぐすことができ、十分なマッサージ効果を得ることができる。
【００１８】
活性石セラミックボールは、活性石の粉末を含む（有する）球状の成形体（焼結体）である。活性石は、二酸化硅素及びアルミナを主成分とし、二酸化チタン等様々な種類の金属酸化物を微量成分として含んでいる。活性石は、例えば、石英斑岩、花崗岩、麦飯岩、トルマリン（電気石）、安山岩、流紋岩、泥岩、砂岩等の天然岩石（鉱物）を用いられる。これらの天然岩石（鉱物）は、遠赤外線放射性や抗菌、消臭（脱臭）性、及び、微弱磁場形成能等を備え、この岩石の粉末又は粉末を含有する成型品で水や空気を処理して動物や植物に与えることにより、これら生物細胞を活性化できるものとして注目されている。特に、天降石（大分県祖母山系で産出）と呼ばれる岩石は、上記の生物細胞の活性化機能に特に優れる点で好ましい。
活性石セラミックボールは、活性石（天然岩石）を粉砕して得られた粉末を水溶性セルロース粉末と混合し、次いで水を添加、混合し、得られた泥状物を球状（球体）に成形し、乾燥させた後、焼結したものが望ましい。
【００１９】
活性石セラミックボール（活性石を有するセラミックのボール）は、タオル本体１を強い力で身体に押し付けなくても（小さな力でも）身体のコリを心地良くほぐすことができ、さらに、遠赤外線やマイナスイオンを発生（放出）して、水のクラスターを小さくしてまろやかにする（水質改善する）作用を発揮するものである。水がまろやかになることで、肌に良く、ボディソープや石鹸等の泡立ちが良くなる。また、イオン交換により空気をマイナスイオン化する。
【００２０】
銀イオンセラミックボールは、石粉や粘土等を球状に焼き固めた成形体（焼結体）に、銀（銀イオン）を保持させたものである。例えば、銀（酸化銀）を添加或いは塗布又は担持させたセラミックのボールや、銀（ヨウ化銀）を塗布やコーティングしたセラミックのボール、或いは、ゼオライト（結晶性アルミノケイ酸塩）に銀イオンを担持させたものを用いたセラミックのボール等である。
【００２１】
銀イオンセラミックボール（銀イオンを有するセラミックのボール）は、タオル本体１を強い力で身体に押し付けなくても（小さな力でも）身体のコリを心地良くほぐすことができ、さらに、銀イオンの溶出により殺菌（滅菌）・抗菌を成す作用と、銀イオンと水又は空気が関係する反応により殺菌・抗菌作用を成すイオンを発生させて殺菌・抗菌を成す作用との、両方又は一方の作用をもつものである。
【００２２】
ＥＭセラミックボールとは、ＥＭ又はＥＭ菌と呼ばれる有用微生物群（Effective Microorganisms）を石粉や粘土等に混ぜて、焼き固めた球状の成形体（焼結体）である。つまり、セラミックボールに有用微生物群を保持させた（閉じ込めた）ものである。
【００２３】
ＥＭセラミックボール（ＥＭを有するセラミックのボール）は、タオル本体１を強い力で身体に押し付けなくても（小さな力でも）身体のコリを心地良くほぐすことができ、さらに、消臭作用や水の浄化作用を発揮するものである。
【００２４】
ラドンセラミックボールとは、ラジウムセラミックボールとも呼ばれ、ラジウム鉱石の粉末を焼き固めた球状の成形体（焼結体）、又は、ラジウムを、石粉や粘土等に混ぜて、焼き固めた球状の成形体、或いは、ラジウム（放射性元素）を添加或いは塗布又は担持させたセラミックのボールである。つまり、ラジウムをセラミックのボールに保持させ、ラドンガスを発生させる（低線量の放射線を放射する）ものである。また、遠赤外線も発生する。
【００２５】
ラドンセラミックボール（ラドンを発生させるセラミックのボール）は、タオル本体１を強い力で身体に押し付けなくても（小さな力でも）身体のコリを心地良くほぐすことができ、さらに、放射線ホルミシス効果が得られる。言い換えると、ラドン温泉（玉川温泉や三朝温泉）のような効果が得られる。また、放射線による電離作用で水（湯）がまろやかになり、肌に良く、ボディソープや石鹸等の泡立ちが良くなる。
【００２６】
ゲルマニウムセラミックボールとは、ゲルマニウムを、石粉や粘土等に混ぜて、焼き固めた球状の成形体、或いは、ゲルマニウムを添加或いは塗布又は担持させたセラミック製ボールである。つまり、ゲルマニウムをセラミックのボールに保持させたものである。微弱電流により、選択された他のセラミックボール３の作用効果を向上（増加）させる。
【００２７】
ゴムボール２は、直径寸法が１０ｍｍ以上４０ｍｍ以下、好ましくは、直径寸法が２０ｍｍ以上３０ｍｍ以下とする。
活性石セラミックボールは、直径寸法が３ｍｍ以上１５ｍｍ以下、好ましくは、８ｍｍ以上１２ｍｍ以下とする。
銀イオンセラミックボールは、直径寸法が３ｍｍ以上１５ｍｍ以下、好ましくは、直径寸法が８ｍｍ以上１２ｍｍ以下とする。
ＥＭセラミックボールは、直径寸法が１ｍｍ以上１５ｍｍ以下、好ましくは、直径寸法が２ｍｍ以上５ｍｍ以下とする。
ラドンセラミックボールは、直径寸法が３ｍｍ以上１５ｍｍ以下、好ましくは、直径寸法が６ｍｍ以上１０ｍｍ以下とする。
ゲルマニウムセラミックボールは、直径寸法が３ｍｍ以上１５ｍｍ以下、好ましくは、直径寸法が３ｍｍ以上１０ｍｍ以下、より好ましくは、直径寸法が６ｍｍ以上１０ｍｍ以下とする。
【００２８】
そして、上述の各ボール材８の直径寸法範囲内で、ゴムボール２が、各セラミックボール３よりも、大きくなるように設定している。
例えば、高反発弾性ゴムボール２の直径寸法を約２７ｍｍ、活性石セラミックボールの直径寸法を約１０ｍｍ、銀イオンセラミックボールの直径寸法を約１０ｍｍ、ＥＭセラミックボールの直径寸法を約３ｍｍ、ラドンセラミックボールの直径寸法を約８ｍｍ、ゲルマニウムセラミックボールの直径寸法を約８ｍｍとする。
【００２９】
このように高反発弾性ゴムボール２が、各セラミックボール３よりも大きいため、確実に高反発弾性ゴムボール２が広い面積をもって身体に接触し（ゴルフボールに比べて柔らかいので）、痛み等の不快感がほとんど無く、快適なマッサージ感を得ることができる。また、セラミックボール３に比べて（弾性変形するため）快適なマッサージ効果を得ることができる。タオル本体１の両端部を把持し、タオル本体１を身体の首筋や肩や背中や腰へ小さな力で引き付けるだけで、十分なマッサージ力（押圧力）を得ることができる。
【００３０】
図２に於て、タオル本体１は、帯状の第１タオル地11と帯状の第２タオル地12とを重ね合わせて、周縁部を縫製や編み込み等の縁止めによって一体状とした２層構造である。
第１タオル地11と第２タオル地12の間に、複数のボール材８が配設されている。ここで、１つの収容室15に収容される複数のボール材８の集まりをボール群と呼ぶ。
各ボール群の周囲において、第１タオル地11と第２タオル地12とを縫着して収容室15を形成している。言い換えると、タオル本体１にボール群を（複数群）内蔵している。
【００３１】
なお、ボール群の配設作業や縫製作業等の製造工程（製造方法）は自由である。
例えば、第１タオル地11と第２タオル地12の周縁部を縁止めにて一体状とする前に、ボール群（複数のボール材８）を、所定位置に配設し、その後、ボール群の周囲を縫製して収容室15を形成する場合や、第１タオル地11と第２タオル地12の周縁部を縁止めにて一体状とした後に、第１タオル地11及び第２タオル地12の一方に、切れ目を所定の位置に所定数だけ形成し、その切れ目からボール群を第１タオル地11と第２タオル地12の間に収容し、その後、ボール群の周囲と切れ目を縫製して収容室15を形成する場合等、自由である。
【００３２】
次に、他の実施形態について説明する。
図３と図４に示すように、１つの収容室15に収容されるべき複数のボール材８（１つのボール群）が、１つのネット状のボール収納袋６に収容されている。
ボール収納袋６は、一番小さいボール材８を収容可能な（例えば、直径寸法が３ｍｍのＥＭセラミックボールが出ない）網目を有するものであれば良い。
【００３３】
そして、ボール群を収容しているボール収納袋６が、タオル本体１の収容室15に収納されている。
このように、ボール群をボール収納袋６に収納しているためタオル本体１が破れた際に、複数のボール材８が飛散するのを防止できる。また、複数のボール材８を、１つのボール群として、容易に取扱うことができる（製造が容易となる）。
なお、上述の実施形態と同様に、ボール収納袋６に収容されたボール群の、配設作業や縫製作業等の製造工程（製造方法）は自由である。他の構成及び作用効果は上述の実施形態と同様である。
【００３４】
さらに他の実施形態について、図１〜図４を、そのまま使用して説明する。
即ち、各収容室15内のボール材８は、前述の３種類以上のセラミックボール３と、檜木ボール５を、少なくとも有する構造である。
言い換えれば、セラミックボール３は、前述の実施形態と同様に収容するが、高反発弾性ゴムボール２を全く省略して、その代わりに、少なくとも一個の檜木ボール５を収容室15に入れる。
【００３５】
本発明に於て、檜木とは、ヒバ，アスナロ，ヒノキアスナロを包含するものと、定義する。檜木は、リラックス効果，抗菌・防カビ効果，疲労回復効果，精神安定効果，保温効果，安眠効果等の多くの作用効果を発揮する。なお、檜木として、上述した複数種のものを複数個使用して、各々、僅かに異なった作用効果を得るも望ましい。
【００３６】
次に、別の実施形態について説明する。
図５に示すように、タオル本体１が、帯状のベース用の第１タオル地11と、第１タオル地11の一方面に縫着される複数の小片状の第２タオル地12，12と、を有し、第１タオル地11と各第２タオル地12の周縁部との縫製（縫着）にて、収容室15を形成したものである。
【００３７】
このような構成は、図６に示すように、製造工程において、第１タオル地（ベースタオル地）11に、各第２タオル地（ポケット用タオル地）12の周縁部をコの字状乃至Ｕ字状に縫着して、開口部21を有するポケット部20を形成し、各ポケット部20に、ボール群を収容したボール収納袋６を入れ、各ポケット部20の開口部21を縫製にて閉じる（縫着する）ことで、収容室15を形成すると共に収容室15にボール群（ボール収納袋６）を収納できる。ボール群の配設作業や縫着部19の縫製作業が容易となる。他の構成及び作用効果は上述の実施形態と同様である。
【００３８】
なお、図示省略するが、各ポケット部20に、複数のボール材８を、直接的に（ボール収納袋６を用いずに）、収納させて、開口部21を縫着するも良い。つまり、図５に於て、ボール収納袋６を省略した構成とするも良い。
また、図示省略するが、ゴムボール２又は檜木ボール５を各ポケット部20に直接的に収容すると共に、少なくとも３種類のセラミックボール３を収納したボール収納袋６を各ポケット部20に収容するも良い。
【００３９】
次に、図７と図８は、本発明に係る、さらなる別の実施形態を示す。即ち、図７（Ａ）の平面図に示すタオル本体１を、長手方向の（２点鎖線にて示した）２本の折り目線26，26に沿って折畳んでゆくことで、図７（Ｃ）(Ｃ′)に示すような３つ折り形状30とする。
具体的には、タオル本体１の幅寸法Ｗ１を約３等分するように、折り目線26，26にて、順次、図７（Ｂ）（Ｂ′）から図７（Ｃ）（Ｃ′）のように、折畳んでゆく（矢印Ｍ１，Ｍ２参照）ことによって、３つ折り形状30となる。
【００４０】
この３つ折り形状30の内部へ、ボール材８を差入れて、タオル長手方向に沿った縦縫製線28、及び、幅方向の複数本の（横）縫製線29によって、図８（Ａ）（Ｂ）に示すように、複数の収容室15を、一列状に列設する。
【００４１】
このようにして、マッサージ用ボール材８が、簡単な作業工程にて、収容室15に確実に能率的に、収容される。
しかも、完成品としてのタオルは、その幅寸法Ｗ30が小さく、元の幅寸法Ｗ１（図７（Ａ）（Ａ′）参照）の約１／３であるため、タオル両端を手で握って、背中等をマッサージしやすく、あるいは、リビング等でストレッチ運動も容易かつ楽しくできる。
【００４２】
そして、複数（例えば３室〜６室）の収容室15には、（望ましくは、）ボール材８として、檜木ボール５を、全ての収容室15に収容する。又は、１室には（既述した）３種類以上のセラミックボール３を収容し、残りの収容室15には、全て、檜木ボール５を単独で収容する。若しくは、上記残りの収容室15には、セラミックボール３と共に檜木ボール５を収容する（図８（Ａ）の中間位置の収容室15を参照のこと）。
【００４３】
後者の場合、つまり、一室にセラミックボール３と共に檜木ボール５を収容した実施例では、檜木ボール５の表面と、セラミックボール３の表面とが、タオル使用時に相互に擦れるために、各々の有効成分が多く発生して、一層、血行を良くしたり、肩コリをほぐしたり、肌に良く、リラックス効果，疲労回復，精神安定効果，さらに、保温・安眠効果等が得られ、一層、快適に入浴を楽しむことができる。
【００４４】
なお、本発明は、設計変更可能であって、タオル本体１は、図２と図４と図５、さらには、図７，図８に於て、断面を簡略化して図示しているが、実際には、繊維（糸）で編んだ編物構造、或いは、繊維（糸）で織った織物構造である。タオル本体１は、製造や材料調達が容易な合成樹脂繊維製とするのが望ましいが、天然繊維製とするも良く、合成樹脂繊維と天然繊維を組み合わせているものであっても良い。また、タオル本体１は、２層構造に限らず、３層以上の積層構造とするも良い。タオル本体１の収容室15及びボール群の数は自由である。また、ボール材８の数も自由である。
【００４５】
例えば、複数のボール材８を、高反発弾性ゴムボール２と活性石セラミックボールと銀イオンセラミックボールとＥＭセラミックボールとすると、高反発弾性ゴムボール２により、小さな力でも身体のコリを心地良くほぐすことができ、十分なマッサージ効果を得ることができる。また、（ゴムボール２の代わりに）檜木ボール５を使用した場合には、リラックス効果，抗菌・防カビ効果，疲労回復効果，精神安定効果，保温効果，安眠効果等が得られる。活性石セラミックボールにより、遠赤外線やマイナスイオンが発生し、水のクラスターが小さくなってまろやかになり、肌に良く、健康にも良い。また、石鹸やボディソープの泡立ちが良くなる。銀イオンセラミックボールによる抗菌・殺菌効果とＥＭセラミックボールによる消臭効果及び水浄化効果によって、ボディタオル全体を清潔に保つことができる。また、首や肩に掛けることで、活性石セラミックボールからの遠赤外線により身体を温めて血行を良くし、肩コリをほぐすことができる。さらに、浴槽の湯に浸すことで、活性石セラミックボールにより、遠赤外線やマイナスイオンが発生し、湯（水）のクラスターが小さくなってまろやかになり、肌と健康に良い入浴を実現できる。また、銀イオンセラミックボールによる抗菌・殺菌効果とＥＭセラミックボールによる消臭効果及び水浄化効果によって、衛生的で快適な入浴を実現できる。
【００４６】
以上のように、本発明のボディタオルは、タオル本体１の長手方向の中央領域Ｅに、マッサージ用ボール材８を収容した複数の収容室15を、縫製にて形成したので、タオル本体１を強い力で、身体に押し付けなくとも、小さな力で十分に身体のコリを心地良くほぐすことができ、十分なマッサージ効果を得ることができる。湯（水）切れや泡切れが良く使用後の清潔さを保つことができ衛生的である。
【００４７】
また、上述の本発明の実施形態によれば、各上記収容室15には複数の上記ボール材８が収容され、かつ、各上記収容室15内の複数の上記ボール材８は、活性石セラミックボールと銀イオンセラミックボールとＥＭセラミックボールとラドンセラミックボールとゲルマニウムセラミックボールの内から選択された３種類以上のセラミックボール３、及び、高反発弾性ゴムボール２を、少なくとも有するので、高反発弾性ゴムボール２により、小さな力でも身体のコリを心地良くほぐすことができ、十分なマッサージ効果を得ることができる。また、活性石セラミックボールやラドンセラミックボールにより、遠赤外線やマイナスイオンが発生し、水のクラスターが小さくなってまろやかになり、肌に良く、健康にも良い。また、石鹸やボディソープの泡立ちが良くなる。銀イオンセラミックボールによる抗菌・殺菌効果や、ＥＭセラミックボールによる消臭効果及び水浄化効果によって、ボディタオル全体を清潔に保つことができる。また、首や肩に掛けることで、活性石セラミックボールやラドンセラミックボールからの遠赤外線により身体を温めて血行を良くし、肩コリをほぐすことができる。また、ゲルマニウムセラミックボールの微弱電流により、選択された他のセラミックボール３の作用効果が向上される。さらに、浴槽の湯に浸すことで、活性石セラミックボールやラドンセラミックボールにより、遠赤外線やマイナスイオンが発生し、湯（水）のクラスターが小さくなってまろやかになり、肌と健康に良い入浴を実現できる。また、銀イオンセラミックボールの抗菌・殺菌効果や、ＥＭセラミックボールの消臭効果及び水浄化効果によって、衛生的で快適な入浴を実現できる。
【００４８】
また、各上記収容室15には複数の上記ボール材８が収容され、かつ、各上記収容室15内の複数の上記ボール材８は、活性石セラミックボールと銀イオンセラミックボールとＥＭセラミックボールとラドンセラミックボールとゲルマニウムセラミックボールの内から選択された３種類以上のセラミックボール３、及び、檜木ボール５を、少なくとも有するので、両ボール３，５が相互に擦れて、各々の有効な成分が発揮して、両者の相乗的作用効果も得られて、一層快適に入浴を楽しむことができる。さらに、リラックス効果，疲労回復や精神安定効果，保温・安眠効果等も得られ、快適に入浴を楽しむことができる。さらに、タオルストレッチ運動も楽しめる。
【００４９】
本発明は以上詳述したように、タオル本体１を長手方向の２本の折り目線26，26にて折畳んで３つ折り形状30とすると共に、幅方向の複数本の縫製線29によって、タオル本体１の長手方向の中央領域Ｅに複数の収容室15を列設し、該収容室15にはマッサージ用ボール材８が収容されている構成としたので、タオル幅寸法Ｗ30が元のタオル全体の幅寸法Ｗ１の約３分の１と小さくすることができて、手で付加する力が、有効に（背中等に対応している）ボール材８によるマッサージ作用として働く。さらに、３つ折り形状30として、ボール材８を、簡易かつ作業能率良く、収容できる。
【００５０】
また、本発明は、複数の上記収容室15の内の一個乃至複数個には、上記ボール材８として檜木ボール５が収容されているので、リラックス効果，疲労回復や精神安定作用効果，保温・安眠効果も得られ、快適に入浴やストレッチ運動を行うことができる。
【００５１】
また、複数の上記収容室15の内の一個乃至複数個には、活性石セラミックボールと銀イオンセラミックボールとＥＭセラミックボールとラドンセラミックボールとゲルマニウムセラミックボールの内から選択された３種類以上のセラミックボール３が、上記ボール材８として、収容されているので、活性石セラミックボールやラドンセラミックボールにより、遠赤外線やマイナスイオンが発生し、水のクラスターが小さくなってまろやかになり、肌に良く、健康にも良い。また、石鹸やボディソープの泡立ちが良くなる。銀イオンセラミックボールによる抗菌・殺菌効果や、ＥＭセラミックボールによる消臭効果及び水浄化効果によって、ボディタオル全体を清潔に保つことができる。また、首や肩に掛けることで、活性石セラミックボールやラドンセラミックボールからの遠赤外線により身体を温めて血行を良くし、肩コリをほぐすことができる。また、ゲルマニウムセラミックボールの微弱電流により、選択された他のセラミックボール３の作用効果が向上される。さらに、浴槽の湯に浸すことで、活性石セラミックボールやラドンセラミックボールにより、遠赤外線やマイナスイオンが発生し、湯（水）のクラスターが小さくなってまろやかになり、肌と健康に良い入浴を実現できる。また、銀イオンセラミックボールの抗菌・殺菌効果や、ＥＭセラミックボールの消臭効果及び水浄化効果によって、衛生的で快適な入浴を実現できる。
【００５２】
また、複数の上記収容室15の内の一個乃至複数個には、上記ボール材８として、高反発弾性ゴムボール２が収容されているので、小さな手の力でも、身体のコリを心地良く、ほぐすことが可能となり、マッサージ効果を高める。
【符号の説明】
【００５３】
１  タオル本体
２  高反発弾性ゴムボール
３  セラミックボール
５  檜木ボール
６  ボール収納袋
８  ボール材
15  収容室
19  縫製部
26  折り目線
29  （横）縫製線
30  ３つ折り形状
Ｅ  タオル中央領域
【図１】
2020130997.tif 000003
【図２】
2020130997.tif 000004
【図３】
2020130997.tif 000005
【図４】
2020130997.tif 000006
【図５】
2020130997.tif 000007
【図６】
2020130997.tif 000008
【図７】
2020130997.tif 000009
【図８】
2020130997.tif 000010